(57)【要約】【課題】  フィット性を維持しつつ起立カフスの起立高さをさらに確実に高めることにより、体液の横漏れを一層確実に防止できるようにした安価な使い捨て紙おむつを提供する。【解決手段】  透液性トップシートと、不透液性バックシートと、前記シート間に介在する吸収コアを含む吸収要素とから成る吸収主体が製品の外形を形成する可撓性外形シートの肌側に配置され、少なくとも脚周り部位において前記吸収要素上または外側に隣接し前記吸収主体上の位置に起立端を有し、長手方向に沿って設けられた持ち上げ用弾性伸縮部材により前記肌側の長手方向に起立される起立カフスを備えた使い捨て紙おむつにおいて、前記持ち上げ用弾性伸縮部材を前記脚周り部位における前記吸収主体の括れ部分にのみ、または、前記吸収主体の両端部における前記吸収コアと重ならない位置にあり、かつ該吸収主体の長手方向に連続して、配置する。【選択図】図１
2005261554.tif 000002
【特許請求の範囲】
【請求項１】
透液性トップシートと、不透液性バックシートと、前記シート間に介在する吸収コアを含む吸収要素とから成る吸収主体が製品の外形を形成する可撓性外形シートの肌側に配置され、少なくとも脚周り部位において前記吸収要素上または外側に隣接し前記吸収主体上の位置に起立端を有し、長手方向に沿って設けられた持ち上げ用弾性伸縮部材により前記肌側の長手方向に起立される起立カフスを備えた使い捨て紙おむつにおいて、
前記持ち上げ用弾性伸縮部材を前記脚周り部位における前記吸収主体の括れ部分にのみ配置して成ることを特徴とする使い捨て紙おむつ。
【請求項２】
前記持ち上げ用弾性伸縮部材は、１本ないし複数本の糸ゴムから成っていることを特徴とする請求項１に記載の使い捨て紙おむつ。
【請求項３】
前記持ち上げ用弾性伸縮部材は、伸縮性を有するシート材から成っていることを特徴とする請求項１に記載の使い捨て紙おむつ。
【請求項４】
透液性トップシートと、不透液性バックシートと、前記シート間に介在する吸収コアを含む吸収要素とから成る吸収主体が製品の外形を形成する可撓性外形シートの肌側に配置され、少なくとも脚周り部位において前記吸収要素上または外側に隣接し前記吸収主体上の位置に起立端を有し、長手方向に沿って設けられた持ち上げ用弾性伸縮部材により前記肌側の長手方向に起立される起立カフスを備えた使い捨て紙おむつにおいて、
前記持ち上げ用弾性伸縮部材を、前記吸収主体の両端部における前記吸収コアと重ならない位置にあり、かつ該吸収主体の長手方向に連続して配置して成ることを特徴とする使い捨て紙おむつ。
【請求項５】
前記持ち上げ用弾性伸縮部材は、１本ないし複数本の糸ゴムから成っていることを特徴とする請求項４に記載の使い捨て紙おむつ。
【発明の詳細な説明】
【技術分野】
【０００１】
本発明は、テープ式あるいはパンツ型等の使い捨て紙おむつに関し、さらに詳細には、起立カフスの起立高さを高めることにより体液の横漏れ防止効果を図った使い捨て紙おむつの改良に関する。
【背景技術】
【０００２】
使い捨て紙おむつはテープ式やパンツ型など種々のタイプのものが一般に知られているが、その基本的な構成には大差がなく、通常、透液性トップシートと不透液性バックシートとの間に介在する吸収コアを含む吸収要素とで構成された吸収主体を製品の外形を形成する可撓性外形シートの表面（肌当接面）側に配置して成っている。そして、尿や軟便等の体液がとくに脚周りから外に漏れ出すことを防止するため、表面側に突出する脚周り用の起立カフスを設け、必要に応じ、脚周りにギャザーを設けることが一般に行われていた。しかし、このように単に起立カフスや脚周りギャザーを設けただけの紙おむつでは、体液の横漏れを確実に防止することは実際上難しいものがあり、このためユーザーからは改善の声が上がっていた。
【０００３】
上記実情に鑑み、本出願人は、起立カフスの起立高さを確実に高めることにより体液の横漏れ防止効果を図った紙おむつを提案した。（特許文献１、参照）
図７は、その一例であるパンツ型の紙おむつ１００を展開して表面側から見た平面図、図８は図７のＸ−Ｘ断面図、図９は図７のＹ−Ｙ断面図である。
【０００４】
図示するように、この紙おむつ１００は、矩形状の透液性トップシート１１と不透液性バックシート１２との間に、砂時計形状の吸収コア１３をクレープ紙１４で被覆して成る吸収要素ＡＢを介在させ、これらの各部材を相互にホットメルト接着剤等で接着して（図中＊印で示しているのが接着部分である）一体化した吸収主体１０を可撓性の外形シート１の表面側に接着、固定して成っている。なお、この紙おむつ１００には、透液性トップシート１１と吸収要素ＡＢとの間に透液性セカンドシート１１Ｓが介在され、また、腰周りのフィット性を高めると共に体液の前後方向からの漏れ出しを防止する目的でウエスト弾性伸縮部材２０と腰周り弾性伸縮部材２１が設けられている。
【０００５】
この吸収主体１０を備えた外形シート１は、製造の後工程において、股間部４を中心に前身頃Ｆと後身頃Ｂとが折り重ねられ、その長手方向の両側縁部３０が超音波シールや熱溶融等の手段により接着される。これにより胴周り開口部ＤＯと脚廻り開口部ＬＯとが形成され、かくして紙おむつ１００が完成される。
【０００６】
この紙おむつ１００には、体液が脚廻り開口部ＬＯから外に漏れ出すことを防止するため、従来と同様に、幅方向に連続した起立用シート４０と複数本の糸ゴム等から成る弾性伸縮部材５０とにより表面側に突出する脚周り用の起立カフスＢ（この起立カフスＢは起立部Ｂ１と平面当り部Ｂ２とから成っている）が形成されているが、とくに図８及び図９に示すように、持ち上げ用弾性伸縮部材６０が起立カフスＢの起立端より中心側にあって吸収要素ＡＢの両側部に配置され、かつ、図１１に平面図で示すように吸収要素ＡＢの長手方向に沿って伸張状態で固定されている点で従来の一般的な紙おむつと相異している。
【０００７】
このような持ち上げ用弾性伸縮部材６０を有する紙おむつ１００によれば、図８及び図９、とくに図１０の作用説明図に白抜き矢印で示すように、紙おむつ１００の装着時にこの持ち上げ用弾性伸縮部材６０の収縮力により吸収要素ＡＢの両側部が変形して着用者の肌に向かって起立するようになり、これに伴い、起立カフスＢが持ち上げ用弾性伸縮部材６０の外側の起立端を介して吸収要素ＡＢの両側部の起立部分に加算して起立するようになるので、肌に対する起立高さが高められ、フィット性が高まって横漏れ防止が図られる。
【０００８】
なお、特許文献１には、持ち上げ用弾性伸縮部材６０の設置位置を、図８ないし図１０に示すように不透液性バックシート１２と吸収要素ＡＢとの間に限らず、これを透液性トップシート１１と吸収要素ＡＢとの間に、あるいは吸収コア１３の厚み方向内部に設けることが、また、平面的には図１１に示すようなものに限らず、これを図１２に示すように吸収コア１３の長手方向全体に重なるように、あるいは、図１３に示すように吸収コア１３の側縁形状に沿わせて設けることが提案されている。
【０００９】
しかしながら、上記紙おむつ１００では、持ち上げ用弾性伸縮部材６０が吸収主体１０の長手方向に延び、砂時計形状をなす吸収コア１３の張り出し部１３ａと重なるように配設されていたため、この重なり部位において、持ち上げ用弾性伸縮部材６０の収縮性が厚みと剛性を有する吸収コア１３によって阻害されてしまい、この結果、この重なり部位に不規則な弛みが生じて着用者の肌に密着しないことが本発明者によって判明された。このように重なり部位が着用者の肌にフィットしないと、快適な装着感が得られないことはいうまでもなく、体液がこの弛み部分を通して外に漏れ出すという心配があった。また、折角設けた持ち上げ用弾性伸縮部材６０がこのように機能しないとなれば、少なくともこの部位における持ち上げ用弾性伸縮部材６０の材料費が無駄となり、これがこの紙おむつ１００の製造コストに多少なりとも支障をきたすという問題もあった。
【特許文献１】特開２００１−１９０５９３号公報
【発明の開示】
【発明が解決しようとする課題】
【００１０】
本発明は、上述したような実情に鑑みてなされたもので、その目的とするところは、上述した従来の使い捨て紙おむつの有する欠点を除去し、フィット性を維持しつつ起立カフスの起立高さをさらに確実に高めることにより、体液の横漏れを一層確実に防止できるようにした安価な使い捨て紙おむつを提供することにある。
【課題を解決するための手段】
【００１１】
本発明の上記目的は、透液性トップシートと、不透液性バックシートと、前記シート間に介在する吸収コアを含む吸収要素とから成る吸収主体が製品の外形を形成する可撓性外形シートの肌側に配置され、少なくとも脚周り部位において前記吸収要素上または外側に隣接し前記吸収主体上の位置に起立端を有し、長手方向に沿って設けられた持ち上げ用弾性伸縮部材により前記肌側の長手方向に起立される起立カフスを備えた使い捨て紙おむつにおいて、前記持ち上げ用弾性伸縮部材を前記脚周り部位における前記吸収主体の括れ部分にのみ配置して成ることを特徴とする使い捨て紙おむつを提供することによって達成される。
【００１２】
また、本発明の上記目的は、前記持ち上げ用弾性伸縮部材は、１本ないし複数本の糸ゴムから成っていることを特徴とする使い捨て紙おむつを提供することによって、より効果的に達成される。
【００１３】
また、本発明の上記目的は、前記持ち上げ用弾性伸縮部材は、伸縮性を有するシート材から成っていることを特徴とする使い捨て紙おむつを提供することによって、より効果的に達成される。
【００１４】
また、本発明の上記目的は、透液性トップシートと、不透液性バックシートと、前記シート間に介在する吸収コアを含む吸収要素とから成る吸収主体が製品の外形を形成する可撓性外形シートの肌側に配置され、少なくとも脚周り部位において前記吸収要素上または外側に隣接し前記吸収主体上の位置に起立端を有し、長手方向に沿って設けられた持ち上げ用弾性伸縮部材により前記肌側の長手方向に起立される起立カフスを備えた使い捨て紙おむつにおいて、前記持ち上げ用弾性伸縮部材を、前記吸収主体の両端部における前記吸収体と重ならない位置にあり、かつ該吸収主体の長手方向に連続して配置して成ることを特徴とする使い捨て紙おむつを提供することによって達成される。
【００１５】
さらにまた、本発明の上記目的は、前記持ち上げ用弾性伸縮部材は、１本ないし複数本の糸ゴムから成っていることを特徴とする使い捨て紙おむつを提供することによって、より効果的に達成される。
【発明の効果】
【００１６】
このように、本発明に係わる使い捨て紙おむつは、持ち上げ用弾性伸縮部材が脚周り部位においては吸収コアの括れ部分にのみ配設され、吸収コアの張り出し部とは重ならないように構成されている。よって、本発明に係わる使い捨て紙おむつによれば、吸収コアの張り出し部が持ち上げ用弾性伸縮部材の伸縮作用によって阻害されることがないので、この張り出し部を着用者の肌に密着させることができ、また、起立カフスの高さをより確実に高めることができるので起立カフスを脚周りに密着させることができ、これにより体液の横漏れを一層確実に防止することができる。
【００１７】
また、本発明に係わる使い捨て紙おむつは、持ち上げ用弾性伸縮部材が吸収主体の両端部における吸収コアと重ならない位置にあり、かつ該吸収主体の長手方向に連続して配置されているので、上記と同様な効果が得られる。
【００１８】
さらにまた、持ち上げ用弾性伸縮部材の使用量を従来の紙おむつに較べ削減できるので紙おむつの製造コストを低減することができる。
【発明を実施するための最良の形態】
【００１９】
以下、本発明の内容を好ましい実施形態に基き詳細に説明する。なお、本発明は必ずしも以下の実施形態に限定されるものではなく、特許請求の範囲を逸脱しない範囲において、その構成を種々に変更できるものであることはいうまでもない。
【００２０】
図１は、本発明の第１の実施形態を示すもので、具体的には、パンツ型の使い捨て紙おむつ（以下、「本紙おむつ」という）１００Ａを展開して表面側から見た平面図を、図２は図１のＸ−Ｘ断面図を、図３は図１のＹ−Ｙ断面図を夫々示している。なお、本紙おむつ１００Ａは、後述する持ち上げ用弾性伸縮部材６０Ａの構成を除くその他の構成要素は前述した従来の紙おむつ１００と実質的に同一なものであるので、以下は共通する構成要素に同一の符号を付して説明する。
【００２１】
本紙おむつ１００Ａは、前記紙おむつ１００と同様に、矩形状の透液性トップシート１１と不透液性バックシート１２との間に、砂時計形状の吸収コア１３をクレープ紙１４で被覆して成る吸収要素ＡＢを介在させ、これらの各部材を相互にホットメルト接着剤等で接着して（図中＊印で示しているのが接着部分である）一体化した吸収主体１０Ａを可撓性の外形シート１の表面側に接着、固定して成っており、透液性トップシート１１と吸収要素ＡＢとの間に透液性セカンドシート１１Ｓが介在され、また、腰周りのフィット性を高めると共に体液の前後方向からの漏れ出しを防止する目的でウエスト弾性伸縮部材２０と腰周り弾性伸縮部材２１が設けられ、さらにまた、体液が脚廻り開口部ＬＯから外に漏れ出すことを防止するため、幅方向に連続した起立用シート４０と複数本の弾性伸縮部材５０とにより表面側に突出する脚周り用の起立カフスＢ（この起立カフスＢは起立部Ｂ１と平面当り部Ｂ２とから成っている）が形成されているものである。
【００２２】
ここに、外形シート１は、２枚の通気性及び撥水性を有する不織布を積層して成っている。
【００２３】
吸収主体１０Ａは、着用者の肌に直接触れる矩形状の不織布等から成る透液性トップシート１１と、綿状パルプを主体としある程度の剛性を有する砂時計形状の吸収コア１３と、その上下面全体を被覆するクレープ紙１４とから成る吸収要素ＡＢと、この吸収要素ＡＢの裏面から表面側に回り込み表面両側部を被覆するポリエチレンプラスチックフィルム等から成る矩形状の不透液性バックシート１２とが、ホットメルト接着剤により接着、一体化されて成っている。
【００２４】
起立カフスＢは、起立用シート４０を２重に形成し、製品の中央側に向かう起立部Ｂ１と、途中で折り返し反転して外側に向かう平面当り部Ｂ２とにより構成されている。
【００２５】
本紙おむつ１００Ａでは、図１に一部破断面をもって、また図３に断面図で示すように、糸ゴム等から成る１本の持ち上げ用弾性伸縮部材６０Ａが脚周り部位において吸収主体１０Ａの括れ部分１０ａにのみ配設されている。（すなわち、本紙おむつ１００Ａでは持ち上げ用弾性伸縮部材６０Ａは従来の紙おむつ１００のように砂時計形状をなす吸収コア１３の張り出し部１３ａには配設されていない。）なお、この持ち上げ用弾性伸縮部材６０Ａの断面方向の配置位置は、図２に示すように不透液性バックシート１２と吸収要素ＡＢとの間に設定されている。
【００２６】
ここに、持ち上げ用弾性伸縮部材６０Ａの素材には、スチレン系ゴム、オレフィン系ゴム、ウレタン系ゴム、ポリウレタン、ポリスチレン等から成る糸状弾性ゴムが好ましく用いられる。
【００２７】
以上のとおり構成された本紙おむつ１００Ａによれば、着用したときに、従来の紙おむつ１００の場合と同様に、脚周り部において持ち上げ用弾性伸縮部材６０Ａの収縮力により吸収要素ＡＢの両側部が変形して着用者の肌に向かって起立するようになり、これに伴い、起立カフスＢが持ち上げ用弾性伸縮部材６０Ａの外側の起立端を介して吸収要素ＡＢの両側部の起立部分に加算して起立するようになるので、肌に対する起立高さが高められ、フィット性が高まって横漏れ防止が図られる。
【００２８】
このとき、本紙おむつ１００Ａでは、上述したように、持ち上げ用弾性伸縮部材６０Ａが吸収主体１０Ａの括れ部分１０ａにのみ配設され、吸収コア１３の張り出し部１３ａには配設されていないので、吸収コア１３の張り出し部１３ａに弛み等の変形を生じることがない。このため、本紙おむつ１００Ａによれば、体液が張り出し部１３ａから横漏れすることがなく、さらに着用者に快適なフィット感を与えることができる。
【００２９】
また、余分な持ち上げ用弾性伸縮部材６０Ａを節減できるので、本紙おむつ１００Ａの製造コストを低減することができる。
【００３０】
図４は、本発明の第２の実施形態を示すもので、具体的には、その要部である吸収主体１０Ｂのみを展開し、右半分を断面にして表面側から見た平面図である。
【００３１】
この吸収主体１０Ｂは、前述したような素材から成る２本の持ち上げ用弾性伸縮部材６０Ｂが吸収主体１０Ｂの括れ部分１０ａに配設されて成っている。この２本の持ち上げ用弾性伸縮部材６０Ｂのうち１本は起立カフスＢの下側に位置するように配設されることが、起立高さを高める上で好ましい。なお、持ち上げ用弾性伸縮部材６０Ｂの使用本数は２本に限らず、必要に応じ本数を増してもよく、また、持ち上げ用弾性伸縮部材６０Ｂの断面方向の設置位置は、不透液性バックシート１２と吸収要素ＡＢとの間に限らず、これを例えば透液性トップシート１１と吸収要素ＡＢとの間に設定するようにしてもよい。
【００３２】
このような吸収主体１０Ｂを備えて成る本紙おむつ１００Ｂ（図示せず）によっても前記同様の効果を得ることができる。
【００３３】
図５は、本発明の第３の実施形態を示すもので、具体的には、第２の実施形態と同様にその要部である吸収主体１０Ｃのみを展開し、右半分を断面にして表面側から見た平面図である。
【００３４】
この吸収主体１０Ｃは、吸収主体１０Ｃの括れ部分１０ａ、すなわち図５に斜線で示す領域に伸縮性を有するシート材６０Ｃが配設されて成っている。
【００３５】
この伸縮性を有するシート材６０Ｃには、例えばウレタンフィルム、あるいはウレタンフォームシート等が好ましく用いられるが、伸縮性を有するシート材であればとくに限定されるものではない。
【００３６】
このような吸収主体１０Ｃを備えて成る本紙おむつ１００Ｃ（図示せず）によっても前記同様の効果を得ることができる。
【００３７】
以上の第１実施形態から第３の実施形態に係わる使い捨て紙おむつは、いずれも、持ち上げ用弾性伸縮部材を脚周り部位における吸収主体の括れ部分にのみ配置して成る場合のものであるが、本発明に係わる使い捨て紙おむつは、この持ち上げ用弾性伸縮部材の配設位置を次のように変更したものであってもよい。
【００３８】
図６は、本発明の第４の実施形態を示すもので、具体的には、上記各実施形態と同様にその要部である吸収主体１０Ｄのみを展開し、右半分を断面にして表面側から見た平面図である。
【００３９】
この吸収主体１０Ｄは、前述したような素材から成る１本（必要に応じて複数本）の持ち上げ用弾性伸縮部材６０Ｄを吸収主体１０Ｄの両端部における吸収コア１３ａと重ならない位置にあり、かつ吸収主体１０Ｄの長手方向に連続して配置して成っている。
【００４０】
このように、持ち上げ用弾性伸縮部材６０Ｄが、吸収主体１０Ｄの括れ部分以外の、平面視で吸収コア１３ａと重ならない位置に配設されて成る本紙おむつ１００Ｄ（図示せず）によっても前記同様の効果を得ることができる。
【産業上の利用可能性】
【００４１】
本発明はパンツ形の使い捨て紙おむつに限らず、テープ式の紙おむつを始め、その他の吸収性物品にも適用することができる。
【図面の簡単な説明】
【００４２】
【図１】本発明の第１の実施形態に係わる紙おむつの展開平面図である。
【図２】図１のＸ−Ｘ断面図である。
【図３】図１のＹ−Ｙ断面図である。
【図４】本発明の第２の実施形態に係わる紙おむつの要部の展開平面図である。
【図５】本発明の第３の実施形態に係わる紙おむつの要部の展開平面図である。
【図６】本発明の第４の実施形態に係わる紙おむつの要部の展開平面図である。
【図７】従来の紙おむつの展開平面図である。
【図８】図６のＸ−Ｘ断面図である。
【図９】図６のＹ−Ｙ断面図である。
【図１０】従来の紙おむつにおける起立カフスの作用説明図である。
【図１１】従来の紙おむつにおける弾性伸縮部材の配置構造を示す平面図である。
【図１２】従来の紙おむつにおける弾性伸縮部材の他の配置構造を示す平面図である。
【図１３】従来の紙おむつにおける弾性伸縮部材のさらに他の配置構造を示す平面図である。
【符号の説明】
【００４３】
１                                    外形シート
１０、１９Ａ、１０Ｂ、１０Ｃ、１０Ｄ  吸収主体
１０ａ                                括れ部分
１１                                  透液性トップシート
１２                                  不透液性バックシート
１３                                  吸収コア
１３ａ                                張り出し部
４０                                  起立用シート
５０                                  弾性伸縮部材
６０、６０Ａ、６０Ｂ、６０Ｃ、６０Ｄ  持ち上げ用弾性伸縮部材
Ｂ                                    起立カフス
ＡＢ                                  吸収要素
【図１】
2005261554.tif 000003
【図２】
2005261554.tif 000004
【図３】
2005261554.tif 000005
【図４】
2005261554.tif 000006
【図５】
2005261554.tif 000007
【図６】
2005261554.tif 000008
【図７】
2005261554.tif 000009
【図８】
2005261554.tif 000010
【図９】
2005261554.tif 000011
【図１０】
2005261554.tif 000012
【図１１】
2005261554.tif 000013
【図１２】
2005261554.tif 000014
【図１３】
2005261554.tif 000015